(57)【要約】      （修正有）【課題】ピースの目の数の配置や、目として使用される小図形の角度の組み合わせにより、より複雑なパズルを提供する。【解決手段】多数のピース１を縦、横、高さ方向に積み上げて、積上げパズル玩具２を完成させる。積上げパズル玩具２の各面に現れるピースの各面には、全て同じ正の整数が表示され、積上げパズル玩具２の面の裏側に現れるピース面に表示される数と足し合わせると７となる。積上げパズル玩具２の各面に現れないピース面には、積上げパズル玩具２の面に現れた数字を除く１〜６までの数のいずれか一つが、重複が無いように表示されている。【選択図】図１
0003146517.tif 000002
【実用新案登録請求の範囲】
【請求項１】
多数の立方体状のピースを縦、横、高さ方向に積み上げて、積上げ立方体を作成するパズル玩具であって、前記積上げ立方体の各複合平面に現れる複数のピース面には、全て同じ正の整数であって、当該積上げ立方体の面の裏側に現れる複数ピース面の一つに表示される数と足し合わせた場合に７となる数が表示されており、かつ当該複合平面の辺に接する４つの複合平面の夫々には、予め決まった配置で１〜６までの他の正の整数が1つずつ重複しないように表示されており、前記積上げ立方体の各面に現れない他のピース面に、前記積上げ立方体の面に現れた数字を除く１〜６までの数のいずれか一つが、１つのピース内に重複しないように、かつ前記積上げ立方体の6つの複合平面に表示される数の配置とは異なる配置で表示されたピースが前記多数のピースに含まれていることを特徴とする積上げパズル玩具。
【請求項２】
請求項１において、前記ピース面に現れる数は小図形の個数で表示され、かつ、２、３叉は６を表示するピース面とその辺が接する２、３又は６を表示するピース面との関係において互いの小図形の並び方向の組み合わせが、前記積上げ立方体の隣り合う複合平面に表示される組み合わせとなっているピースと、他の組み合わせであるピースとが含まれていることを特徴とする積上げパズル玩具。
【請求項３】
請求項１または２において、前記小図形は1つのピース面においては同形であり、かつ前記積上げ立方体は、ピースを縦、横、高さに積み上げて３×３×３の立方体にしたものであることを特徴とする積上げパズル玩具。
【考案の詳細な説明】
【技術分野】
【０００１】
本考案は、多数の立方体状のピースを積み上げて、積上げ立方体を作成するパズルであって、特にサイコロを模した積上げパズル玩具に関する。
【背景技術】
【０００２】
例えば特許文献１には、同一大きさの立法体状に形成された３０個のピースからなり、各ピースは６つの各平面にそれぞれ異なる６色を配置されており、これらピースの中から任意なものを選択して積み上げることにより、組立て直方体（組立て立方体を含む）を形成するように使用されるピース積上げパズル玩具が開示されている。
【０００３】
この組立て直方体は、その外表面である６つの複合平面のそれぞれを形成した各ピースの平面が同一の色の付された状態となるように積み上げられる。
【０００４】
このようなピース積上げパズル玩具においては、組立て直方体を形成する過程での各ピースの選択や配置の決定における適度な困難性が遊技者の興味を喚起させるのであり、また遊技者はこの困難性を乗り越えることによって思考の柔軟性を増進されると共に気分転換を図ることができるのである。
【０００５】
【特許文献１】実開昭５９−４６５８７号公報
【考案の開示】
【考案が解決しようとする課題】
【０００６】
本考案は、使用者である遊技者が遊技する過程で思考の柔軟性を増進させたり気分転換を図ることのできる新規な構成の積上げパズル玩具を提供することを目的とする。
【課題を解決するための手段】
【０００７】
上記目的を達成するため、本考案の積上げパズル玩具によれば、多数の立方体状のピースを縦、横、高さ方向に積み上げて、積上げ立方体を作成するパズル玩具であって、前記積上げ立方体の各複合平面に現れる複数のピース面には、全て同じ正の整数であって、当該積上げ立方体の面の裏側に現れる複数ピース面の一つに表示される数と足し合わせた場合に７となる数が表示されており、かつ当該複合平面の辺に接する４つの複合平面の夫々には、予め決まった配置で１〜６までの他の正の整数が1つずつ重複しないように表示されており、前記積上げ立方体の各面に現れない他のピース面に、前記積上げ立方体の面に現れた数字を除く１〜６までの数のいずれか一つが、１つのピース内に重複しないように、かつ前記積上げ立方体の6つの複合平面に表示される数の配置とは異なる配置で表示されたピースが前記多数のピースに含まれていることを特徴とする。
【０００８】
また、前記ピース面に現れる数は小図形の個数で表示され、かつ、２、３叉は６を表示するピース面とその辺が接する２、３又は６を表示するピース面との関係において互いの小図形の並び方向の組み合わせが、前記積上げ立方体の隣り合う複合平面に表示される組み合わせとなっているピースと、他の組み合わせであるピースとが含まれていることを特徴とする。
【考案の効果】
【０００９】
本考案によれば、各サイコロの選択や配置の決定における適度な困難性が遊技者の興味を喚起させ、遊技者はこの困難性を解決することで、思考の柔軟性を増進されると共に気分転換を図ることができるのであり、また従来のピース組立てパズル玩具に比べ、サイコロの目の数の配置や、目として使用される小図形の角度の組み合わせにより、より複雑なパズルとして利用できる効果がある。
【考案を実施するための最良の形態】
【００１０】
以下、本考案の詳細について図面を参照して説明する。
【実施例１】
【００１１】
図１は、本実施例による積上げパズル玩具２を組み立てた状態を示している。図１（ａ）は、１・２・３の面が見える位置の配置を示しており、図１（ｂ）はその裏側である。積上げパズル玩具２は、立方体状のピース１を縦（ｂ２）方向に３列、横（ｂ１）方向に３行、高さ（ｂ３）方向に３段に積み重ねたものであり、各ピース１には１から６までの正の整数に相当する個数だけ、「点」が表示されている。各ピース１の「点」の表示については後述するが、積上げパズル玩具２が完成した際には、図１のように、積上げパズル玩具２の各複合平面（２ａ〜２ｆ）において、その面に現れる複数のピース面には、全て同じ正の整数が表示される。例えば、複合平面２ａを構成する全てのピース１は、「１」の面を表示している。一方、複合平面２ａの裏側の複合平面２ｆには、この面を構成するピース１の「６」の面が表示されており、複合平面２ａ、２ｆに表示される数と足し合わせた場合に７となる。複合平面に現れない他のピース面には、前記複合平面に現れた数字を除く１〜６までの数のいずれか一つが、１つのピース内に数の重複が無いように表示されている。また、１・２・３の面が見える位置に置くとき、１→２→３の向きとして時計回りとなるように数が割り当てられている。この割り当てにより複合平面の全ての面の数が決まり、例えば、複合平面２ａが「１」であるとき、辺が接する２ｂ→２ｃ→２ｄ→２ｅの面は、この順番で「２」→「４」→「５」→「３」となる。
【００１２】
サイコロは周知のように、向かい合う面を足すと７になるように、各面の数が配置されている。また、１・２・３の面が見える位置に置くとき、１→２→３の向きとして時計回り、或いは逆時計回りの２種類が存在している。いずれかの種類のサイコロにおいて、或る目の面の４辺に接する面の数について、その配列に規則性が存在する。このように、サイコロの面についての数値の配置には、一定の配置規則がある。積上げパズル玩具２は、この規則に従っている。
【００１３】
一方、積上げパズル玩具２を構成する２７個のピースとしては、隣り合う面、或いは対向する面の目の数を、上記サイコロの配置規則を破った状態のピースが多数揃えられており、これを積み上げて上記サイコロの規則に合うように、複合平面を合わせるのである。
【００１４】
また、積上げパズル玩具２を構成するピースとして、上記サイコロの配置規則を破ったピース面の配置としたピースとするだけではなく、さらに目の方向性の組み合わせについてもバリエーションを持たせたピースを含ませている。
【００１５】
目の方向性の組み合わせについて説明する。２の目、３の目、及び６の目については、これらの目を「点」や「円」或いは陥没・突起形状などの小さな図形（小図形）の個数で表す場合には、それを配置するうえで必然的に方向性を生ずる。
【００１６】
図２は、このことを示す図であり、図２（Ａ）は３の目と２の目の並びを示している。３の目と２の目の面は、対向面の合計が７でかつ１→２→３の向きとして時計回りであるというサイコロの規則によれば、互いに隣り合う面１１、１２である。ここにおいて、図においては、３の目を小図形１０の個数で表すときに、配置の方向性（左下から右上方向イ）が存在する。一方、２の目についても配置の方向性（左下から右上方向ロ）が存在する。隣合う３の目と２の目の方向性の組み合わせは、Ｔ（ｔｒｕｅ）、Ｆ１-Ｆ４（ｆｕｌｓｅ１-２）に示す４種類が存在できる。Ｔの組み合わせが、積上げパズル玩具２の複合平面に現れる規則に一致する。さらに、３の目と２の目の面は、図中Ｆ４及びＦ５に示すように、互いに向かい合う面１３、１４の配置になることは無いが、本実施例では、Ｆ４及びは５の配置の２種類も追加して存在できる。
【００１７】
このような関係は、２の目と６の目、或いは３の目と６の目の関係においても同様である。６の目においては、３つの小図形の列が２列となっており、縦・横の方向性が存在するため、図２（Ｂ）、（Ｃ）に示すように夫々６種類の組み合わせが存在する。図２（Ａ）−（Ｃ）のいずれにおいても、Ｔ（ｔｒｕｅ）と表示された隣同士の面の組み合わせが正しい並びであり、他はパズルにおける隘路を提供するものとなる。
【００１８】
２、３、６の目に方向性が存在する理由としては、１つのピース面内の目を同形の小図形で表示する場合には、小図形の配置を線対称としている。２の目、３の目、6の目については、小図形の配置をピース面の面中心に９０度ずつ回転させると重なりあわないので、この配置においてはある方向性を持たざるを得ない。一方、１、4、５の目は９０度ずつ回転させても重なり合う点対称に配置することができ、配置の方向性が無い。もちろん、２、３、６の目を、同形の小図形ではなく、同心円の輪の数で表示すれば、方向性無く配置することは可能であるが、その場合は図２におけるＴ、Ｆ１−Ｆ３のバリエーションは消失し（Ｆ４、Ｆ５のバリエーションも１種類のみとなる）、パズルとしての興味は減じられる。
【００１９】
上記のように、ピースの面の配置、及び目の方向性にバリエーションを持たせたピースの一例を図３〜図５に示す。本実施例の積上げパズル玩具は、同一大きさの立法体状に形成された２７個のピース１からなっている。各ピース１は１から６までのそれぞれの数を意味するもので各数に合致した個数の点ａ１を備えてなる６種類の目が６つの平面１ａ、１ｂ、ｂｃ、１ｄ、１ｅ、１ｆに１つずつ付されている。一般のピース１の目の配置は対向した一対の平面に付された点の個数の和が７となるように行われるが、本実施例のピース１はこれに拘束されることなく目の配置が種々に変化されたものとなっている。
【００２０】
２７個のピース１は図３〜図５の中のＡ〜Ｋに示すように目の配置を相違させた１１種類からなっている。図３〜図５において（ａ）はピース１を斜め前上方から見た状態を示し、（ｂ）はピース１を斜め後下方から見た状態を示している。それぞれの種類のピース１について、上面１ａから４側面１ｂ、１ｃ、１ｄ、１ｅを一方向へ回って下面１ｆに至る順に目の配置を示すと、次のとおりである。
【００２１】
即ち、図３に示すように、Ａに示す種類のピース１は、１の目、３の目、４の目、５の目、６の目、２の目となっており、Ｂに示す種類のピース１は、１の目、３の目、４の目、６の目、５の目、２の目となっており、Ｃに示す種類のピース１は、１の目、３の目、５の目、４の目、６の目、２の目となっており、Ｄに示す種類のピース１は、１の目、３の目、６の目、４の目、５の目、２の目となっている。
【００２２】
次いで図４に示すように、Ｅに示す種類のピース１は、１の目、２の目、６の目、５の目、４の目、３の目となっており、Ｆに示す種類のピース１は、１の目、２の目、６の目、５の目、３の目、４の目となっており、Ｇに示す種類のピース１は、１の目、２の目、３の目、４の目、６の目、５の目となっており、Ｈに示す種類のピース１は、１の目、２の目、４の目、３の目、６の目、５の目となっている。
【００２３】
次いで図５に示すように、Ｉに示す種類のピース１は、１の目、２の目、６の目、４の目、３の目、５の目となっており、Ｊに示す種類のピース１は、１の目、２の目、３の目、５の目、４の目、６の目となっており、Ｋに示す種類のピース１は、１の目、２の目、４の目、５の目、３の目、６の目となっている。
【００２４】
これらのうち、積上げパズル玩具２の目の配置と同一の配置を持つものは、図５Ｋである。他のピースは、異なる配置となっている。
【００２５】
また各種類のピース１の個数はそれぞれ次のとおりであって、即ち、Ａに示すものが１個、Ｂに示すものが１個、Ｃに示すものが４個、Ｄに示すものが２個、Ｅに示すものが３個、Ｆに示すものが３個、Ｇに示すものが１個、Ｈに示すものは２個、Ｉに示すものが１個、Ｊに示すものが３個、Ｋに示すものが６個である。
【００２６】
このうち、２の目、３の目、６の目について、方向性の組み合わせについてもバリエーションが存在している。たとえば、Ｂは２の目の方向が６の目の面と接する辺に対して右上から左下に並んでおり図２（Ｂ）のＦ３の関係にある。Ｃは２の目の方向が６の目の面と接する辺に対して左上から右下に並んでおり図２（Ｂ）のＴの関係である。また、ＡとＣに示す種類のピース１において、Ｄは３の目が、６の面と接する辺に対して図２（Ｃ）のＴの関係に並んでおり、Ｈは３の目が、６の面と接する辺に対して図２（Ｃ）のＦ３の関係に並んでいる。また、Ｇは、３の目が、2の目の接する辺に対して図２（Ａ）のＴの関係に並んでいる。
【００２７】
上記した本実施例の積上げパズル玩具の使用例について説明する。
当初は２７個のピース１を不規則に散在させておくのであり、この後、遊技者は散在されたピース１を適当な順に取り上げて、図１に示すように横方向ｂ１、縦方向ｂ２及び高さ方向ｂ３に予め決定された適当数のピース１が並ぶように水平面上に配置し積み重ねるようにする。
【００２８】
そして、積み重ねられた状態の積上げパズル玩具２の外面である複合平面２ａ、２ｂ、２ｃ、２ｄ、２ｅ、２ｆのそれぞれを構成した各ピース１の１つの平面１ａ、２ｂ、２ｃ、２ｄ、２ｅ又は２ｆに付された目が予め特定された数を意味するものとなるように各ピース１の位置及び向きをその積み重ね過程で試行錯誤して決定する。この際の試行錯誤が遊技者の問題解決本能を活性化させて、遊技者の気分転換や思考能力の柔軟化を増進させる。
【００２９】
２７個のピース１のうちの全部又は一部を積み重ねて形成される最終的な積上げ形態としては例えば次の（１）〜（６）で記述するようなものが考えられる。
【００３０】
（１）図１に示すように、横方向ｂ１、縦方向ｂ２及び高さ方向ｂ３に３個のピース１が並ぶように２７個のサイコロを積み重ねて形成される第１の積上げパズル玩具２であって、９個のピース１の１つの目が複合されて形成された６つの複合平面２ａ、２ｂ、２ｃ、２ｄ、２ｅ、２ｆを備えており、且つ、複合平面２ａ、２ｂ、２ｃ、２ｄ、２ｅ、２ｆのそれぞれにおいてこれを構成する全てのピース１の平面が同じ数を意味する目となっており、しかも各複合平面２ａ、２ｂ、２ｃ、２ｄ、２ｅ、２ｆを構成する各ピース１の平面が各複合平面２ａ、２ｂ、２ｃ、２ｄ、２ｅ、２ｆごとにそれぞれ異なる数を意味する目となっているものである。
【００３１】
図１中、（ａ）は積上げパズル玩具２を斜め前上方から見た状態を示し、（ｂ）は第１の積上げパズル玩具２を斜め後下方から見た状態を示している。向かい合う面を足すと７となるように、各面の数が配置され、また、１・２・３の面は１→２→３の向きとして時計回りとなっている。積上げパズル玩具２における各ピース１の配置を矢印方向（前側）ｃ１から見た状態で示すと次のとおりである。
【００３２】
ここに、左右方向（横方向ｂ１）上の位置を最初に、そして前後方向（縦方向ｂ２）上の位置を第２番目に、そして高さ方向ｂ３上の位置を第３番目に記述するものとし、また左右方向ｂ１の３個のピース１は左側ものから順に左、中、右と記述し、前後方向ｂ２の３個のピース１は前側のものから順に前、中、後と記述し、高さ方向ｂ３の３個のピース１は上側のものから順に上、中、下と記述するものとする。
【００３３】
即ち、図３Ａに示すピース１は右・後・上に、図３Ｂに示すピース１は中・後・上に、図３Ｃに示すピース１は中・中・中と左・中・下と中・前・中と右・前・下に、図３Ｄに示すピース１は左・中・中と右・後・中に、図４Ｅに示すピース１は中・前・上と右・中・上と右・中・中に、図４Ｆに示すピース１は左・後・上と左・後・中と右・中・下に、図４Ｇに示すピース１は中・中・上に、図４Ｈに示すピース１は左・中・上と右・前・上に、図５Ｉに示すピース１は左・前・上に、図５Ｊに示すピース１は右・前・中と中・中・下と中・後・下に、図５Ｋで示すピース１は左・前・中と左・前・下と左・下・後と、中・前・下と中・後・中と右・後・下に位置させる。
【００３４】
このような各ピース１の配置の結果、積上げパズル玩具２の上面である複合平面２ａは各ピース１の１の数を意味する目を付された平面のみで形成され、正面である複合平面２ｂは各ピース１の２の数を意味する目を付された平面のみで形成され、右側面である複合平面２ｃは各ピース１の４の数を意味する目を付された平面のみで形成され、背面である複合平面２ｄは各ピース１の５の数を意味する目を付された平面のみで形成され、左側面である複合平面２ｅは各ピース１の３の数を意味する目を付された平面のみで形成され、下面である複合平面２ｆは各ピース１の６の数を意味する目を付された平面のみで形成される。
【００３５】
なお、図１に示すような目の配列の積上げパズル玩具２は、上記した各ピース１の配置によってのみ形成されるものではなくて、２７個のピース１のうちの幾つかのピース１の位置や方向を変更した別異の、サイコロの配置によっても得られる。
【００３６】
（２）図６に代表的に示すように、横方向ｂ１、縦方向ｂ２及び高さ方向ｂ３に３個のピース１が並ぶように２７個のサイコロを積み重ねて形成される積上げ立方体２０であって、９個のピース１の１つの目が複合されて形成された６つの複合平面２ａ、２ｂ、２ｃ、２ｄ、２ｅ、２ｆを備えており、且つ、複合平面２ａ、２ｂ、２ｃ、２ｄ、２ｅ、２ｆのそれぞれにおいて先と同様に、これを構成する各ピース１の平面が同じ数を意味する目となっており、且つ、左右方向ｂ１、前後方向ｂ２又は高さ方向ｂ３のうちの１つの方向で対向した１対の複合平面を構成する各ピース１の平面が同じ数を意味する目となっており、且つ、前記１対の複合平面を除いた他の複合平面のそれぞれを構成する各ピース１の平面が、前記１対の複合平面を構成する各ピース１の目とは異なった目であって各複合平面ごとにそれぞれ異なる数を意味する目となっているものである。
【００３７】
図６中、（ａ）は積上げ立方体２０を斜め前上方から見た状態を示し、（ｂ）は積上げ立方体２０を斜め後下方から見た状態を示している。積上げ立方体２０の代表例である図５に示す積上げパズル玩具２における各ピース１の配置を図１の場合と同様に、矢印方向（前側）ｃ１から見た状態で示すと次のとおりである。
【００３８】
即ち、図３Ａに示すピース１は左・中・上に、図３Ｂに示すピース１は左・中・下に、図３Ｃに示すピース１は左・前・中と中・中・中と中・後・上と右・中・上に、図３Ｄに示すピース１は左・中・中と右・後・上に、図４Ｅに示すピース１は中・前・上と中・中・上と右・前・下に、図４Ｆに示すピース１は左・前・上と左・後・上と中・後・下に、図４Ｇに示すピース１は左・前・下に、図４Ｈに示すピース１は右・中・中と中・後・中に、図５Ｉに示すピース１は右・中・下に、図５Ｊに示すサイコロは左・後・下と右・後・下と右・後・中に、図５Ｋに示すピース１は左・後・中と中・前・中と中・前・下と中・下・中と右・前・上と右・前・中に位置させる。
【００３９】
このような各ピース１の配置の結果、積上げパズル玩具２の上面である複合平面２ａは各ピース１の１の数を意味する目を付された平面のみで形成され、正面である複合平面２ｂは各ピース１の２の数を意味する目を付された平面のみで形成され、右側面である複合平面２ｃは各ピース１の４の数を意味する目を付された平面のみで形成され、背面である複合平面２ｄは各ピース１の５の数を意味する目を付された平面のみで形成され、左側面である複合平面２ｅは各ピース１の３の数を意味する目を付された平面のみで形成され、下面である複合平面２ｆは各ピース１の１の数を意味する目を付された平面のみで形成される。
【００４０】
なお、図６に示すような目の配列の積上げパズル玩具２においても、上記した各ピース１の配置によってのみ形成されるものではなくて、２７個のサイコロのうちの幾つかのピース１の位置や方向を変更した別異の、ピース１の配置によっても得られる。
【００４１】
（３）図７に代表的に示すように、横方向ｂ１、縦方向ｂ２及び高さ方向ｂ３に３個のピース１が並ぶように２７個のサイコロを積み重ねて形成された積上げ立方体３０であって、９個のピース１の１つの目が複合されて形成された６つの複合平面２ａ、２ｂ、２ｃ、２ｄ、２ｅ、２ｆを備えており、且つ、複合平面２ａ、２ｂ、２ｃ、２ｄ、２ｅ、２ｆのそれぞれにおいて先と同様に、これを構成する各ピース１の１つの平面が同じ数を意味する目となっており、且つ、左右方向ｂ１、前後方向ｂ２及び高さ方向ｂ３のうちの２つの方向のそれぞれで対向した１対の複合平面を構成する各ピース１の平面が同じ数を意味する目であって各対ごとにそれぞれ異なる数を意味する目となっており、且つ、前記各１対の複合平面を除いた他の複合平面のそれぞれを構成する各ピース１の平面が、前記各１対の複合平面を構成した各ピース１の目とは異なった目であって各複合平面ごとにそれぞれ異なる数を意味する目となっているものである。
【００４２】
図７中、（ａ）は積上げ立方体３０を斜め前上方から見た状態を示し、（ｂ）は積上げ立方体３０を斜め後下方から見た状態を示している。積上げ立方体３０の代表例である図７に示す積上げパズル玩具２における各ピース１の配置を図１の場合と同様に、矢印方向（前側）ｃ１から見た状態で示すと次のとおりである。
【００４３】
即ち、図３Ａで示すピース１は左・前・下に、図３Ｂで示すピース１は右・前・上に、図３Ｃで示すピース１は左・中・上と左・中・下と左・後・上と右・中・下に、図３Ｄで示すピース１は左・後・中と左・後・下に、図４Ｅで示すピース１は中・後・下と右・後・中と右・後・下に、図４Ｆで示すピース１は中・前・中と中・前・下と中・中・中に、図４Ｇで示すピース１は左・前・中に、図４Ｈで示すピース１は左・前・上と右・前・下に、図５Ｉで示すピース１は右・前・中に、図５Ｊで示すピース１は中・前・上と中・中・上と右・中・上に、図５Ｋで示すピース１は左・中・中と中・中・下と中・後・上と中・後・中と右・中・中と右・後・上に位置させる。
【００４４】
このような各ピース１の配置の結果、積上げパズル玩具２の上面である複合平面２ａは各ピース１の１の数を意味する目を付された平面のみで形成され、正面である複合平面２ｂは各ピース１の３の数を意味する目を付された平面のみで形成され、右側面である複合平面２ｃは各ピース１の４の数を意味する目を付された平面のみで形成され、背面である複合平面２ｄは各ピース１の５の数を意味する目を付された平面のみで形成され、左側面である複合平面２ｅは各ピース１の４の数を意味する目を付された平面のみで形成され、下面である複合平面２ｆは各ピース１の１の数を意味する目を付された平面のみで形成される。
【００４５】
なお、図７に示すような目の配列の積上げパズル玩具２においても、上記した各ピース１の配置によってのみ形成されるものではなくて、２７個のピース１のうちの幾つかのピース１の位置や方向を変更した別異の、ピース１の配置によっても得られる。
【００４６】
（４）図８に代表的に示すように、横方向ｂ１、縦方向ｂ２及び高さ方向ｂ３に３個のピース１が並ぶように２７個のサイコロを積み重ねて形成された積上げ立方体４０であって、９個のピース１の１つの目が複合されて形成された６つの複合平面２ａ、２ｂ、２ｃ、２ｄ、２ｅ、２ｆを備えており、且つ、複合平面２ａ、２ｂ、２ｃ、２ｄ、２ｅ、２ｆのそれぞれにおいて先と同様に、これを構成する各ピース１の１つの平面が同じ数を意味する目となっており、且つ、左右方向ｂ１、前後方向ｂ２及び高さ方向ｂ３の各方向で対向した１対の複合平面を構成する各ピース１の平面が同じ数を意味する目となっており、且つ、各１対の複合平面を構成する各ピース１の平面が各１対ごとにそれぞれ異なる数を意味する目となっているものである。
【００４７】
図８中、（ａ）は積上げ立方体４０を斜め前上方から見た状態を示し、（ｂ）は積上げ立方体４０を斜め後下方から見た状態を示している。積上げ立方体４０の代表例である図７に示す積上げパズル玩具２における各ピース１の配置を図１の場合と同様に、矢印方向（前側）ｃ１から見た状態で示すと次のとおりである。
【００４８】
即ち、図３Ａで示すピース１は左・中・中に、図３Ｂで示すピース１は中・前・中に、図３Ｃで示すピース１は中・中・中と中・中・下と中・後・中と右・中・中に、図３Ｄで示すピース１は中・中・上と右・中・下に、図４Ｅで示すピース１は左・前・上と右・前・下と右・後・上に、図４Ｆで示すピース１は中・前・上と中・後・上と中・後・下に、図４Ｇで示すピース１は左・中・上に、図４Ｈで示すピース１は左・後・中と右・前・上に、図５Ｉで示すピース１は右・中・上に、図５Ｊで示すピース１は左・中・下と左・後・下と右・後・中に、図５Ｋで示すピース１は左・前・中と左・前・下と左・後・上と中・前・下と右・前・中と右・後・下に位置させる。
【００４９】
このような各ピース１の配置の結果、積上げパズル玩具２の上面である複合平面２ａは各ピース１の１の数を意味する目を付された平面のみで形成され、正面である複合平面２ｂは各ピース１の２の数を意味する目を付された平面のみで形成され、右側面である複合平面２ｃは各ピース１の４の数を意味する目を付された平面のみで形成され、背面である複合平面２ｄは各ピース１の２の数を意味する目を付された平面のみで形成され、左側面である複合平面２ｅは各ピース１の４の数を意味する目を付された平面のみで形成され、下面である複合平面２ｆは各ピース１の１の数を意味する目を付された平面のみで形成される。
【００５０】
なお、図８に示すような目の配列の積上げパズル玩具２も、上記した各ピース１の配置によってのみ形成されるものではなくて、２７個のピース１のうちの幾つかのピース１の位置や方向を変更した別異の、ピース１の配置によっても得られる。
【００５１】
本実施例においては、３×３×３の立方体を示したが、多くのピースを用意して、４×４×４或いは、それ以上のものとしても良い。
【図面の簡単な説明】
【００５２】
【図１】最終的な積上げ形態である積上げパズル玩具２を示す斜視図である。
【図２】小図形の方向性の組み合わせを示す図である。
【図３】本考案に係るピースを示す斜視図である。
【図４】本考案に係るピースを示す斜視図である。
【図５】本考案に係るピースを示す斜視図である。
【図６】最終的な積上げ形態である積上げ立法体２０を示す斜視図である。
【図７】最終的な積上げ形態である積上げ立法体３０を示す斜視図である。
【図８】最終的な積上げ形態である積上げ立法体４０を示す斜視図である。
【符号の説明】
【００５３】
１  ピース
１ａ  ピースの平面（上面）
１ｂ  ピースの平面（正面）
１ｃ  ピースの平面（右側面）
１ｄ  ピースの平面（背面）
１ｅ  ピースの平面（左側面）
１ｆ  ピースの平面（下面）
ｂ１  横方向（左右方向）
ｂ２  縦方向（前後方向）
ｂ３  高さ方向
２  組立て立方体
２ａ  複合平面（上面）
２ｂ  複合平面（正面）
２ｃ  複合平面（右側面）
２ｄ  複合平面（背面）
２ｅ  複合平面（左側面）
２ｆ  複合平面（下面）
【図１】
0003146517.tif 000003
【図２】
0003146517.tif 000004
【図３】
0003146517.tif 000005
【図４】
0003146517.tif 000006
【図５】
0003146517.tif 000007
【図６】
0003146517.tif 000008
【図７】
0003146517.tif 000009
【図８】
0003146517.tif 000010